(57)【特許請求の範囲】
【請求項１】
記録情報を記録するための第１記録トラックパスが形成された第１記録層と、
該第１記録層に積層されており、前記記録情報を記録するための第２記録トラックパスが前記第１記録トラックパスに対して反対の方向に形成された第２記録層と
を備えており、
前記第１及び第２記録層のうち一方の記録層においては、レーザ光のフォーカス引き込みが行われる所定領域は前記レーザ光を反射する構成とされていると共に、前記第１及び第２記録層のうち他方の記録層においては、前記所定領域に対向する対向領域は前記レーザ光を反射しない構成とされ、
前記他方の記録層は、前記対向領域に対応する部分に光吸収膜又は光散乱膜が配置されていることを特徴とする情報記録媒体。
【請求項２】
前記他方の記録層は、前記対向領域に対応する反射膜が欠落していることを特徴とする請求項１に記載の情報記録媒体。
【請求項３】
前記一方の記録層は、前記他方の記録層よりも前記レーザ光が照射される側に配置されると共に、前記所定領域に対応する部分の前記対向領域の側に前記光吸収膜又は光散乱膜が配置されていることを特徴とする請求項１に記載の情報記録媒体。
【請求項４】
前記一方の記録層は、前記他方の記録層よりも前記レーザ光が出射される側に配置されると共に、前記所定領域に対応する部分に全反射膜が配置されていることを特徴とする請求項１に記載の情報記録媒体。
【請求項５】
前記所定領域は、リードインエリアのコントロールデータを記録する領域であり、
前記対向領域は、リードアウトエリアの一部領域であることを特徴とする請求項１から４のいずれか一項に記載の情報記録媒体。
【発明の詳細な説明】
【技術分野】
【０００１】
本発明は、例えばＤＶＤ等の情報記録媒体の技術分野に関する。
【背景技術】
【０００２】
例えば、ＣＤ（Compact Disc）、ＤＶＤ等の情報記録媒体では、特許文献１、２等に記載されているように、同一基板上に複数の記録層が積層されてなる多層型若しくはデュアルレイヤ又はマルチプルレイヤ型の光ディスク等の情報記録媒体も開発されている。そして、このようなデユアルレイヤ型、即ち、２層型の光ディスクを記録する、ＣＤレコーダ等の情報記録装置では、レーザ光の照射側から見て最も手前側に位置する記録層（本願では適宜「Ｌ０層」と称する）に対して記録用のレーザ光を集光することで、Ｌ０層に対して情報を加熱などによる非可逆変化記録方式や書換え可能方式で記録し、Ｌ０層等を介して、レーザ光の照射側から見てＬ０層の奥側に位置する記録層（本願では適宜「Ｌ１層」と称する）に対して該レーザ光を集光することで、Ｌ１層に対して情報を加熱などによる非可逆変化記録方式や書換え可能方式で記録することになる。【０００３】
他方、これらＬ０層及びＬ１層に対して“オポジット方式”等によって記録又は再生を行う技術も開示されている。ここに、“オポジット方式”とは、例えば二つの記録層の間でトラックパスの方向が逆向きである記録又は再生方式である。【０００４】
このような２層型光ディスクの夫々の記録層に記録された情報へのフォーカス引き込みは、フォーカスサーボの制御によって実現されている。より具体的には、光ピックアップ内の対物レンズを光ディスクに近づける方向に移動させると、Ｌ０層にフォーカス（焦点）が合わされている場合、Ｌ０層の例えば、半透過反射膜からの反射光のフォーカスエラー信号は“０”に収束する。更に、対物レンズを上昇させ、光ディスクに近づける方向に移動させると、Ｌ１層にフォーカスが合わされている場合、Ｌ１層の反射膜からの反射光のフォーカスエラー信号は“０”に収束する。このように、対物レンズを光ディスクに近づける方向に移動させると、Ｌ０層にフォーカスが合わされている場合の対物レンズの位置（以下、適宜、Ｌ０層の「合焦点位置」と称す）及びＬ１層の合焦点位置を中心とする２つのＳ字波形をしたフォーカスエラー信号（以下、「S字信号」と称す）が得られる（後述される図１６（ｂ）参照）。この２つのＳ字信号を利用したフォーカスサーボの制御下で、対物レンズの位置を上下させることで、Ｌ０層及びＬ１層の夫々に対してフォーカスを合わせることができる。【０００５】
また、特許文献３に記載されているように、複数の記録層のうちある特定の記録層にだけ管理情報等を記録している技術もある。更に、特許文献４に記載されているように、複数の記録層が互いに重なることなく配置されている技術もある。【０００６】
【特許文献１】特開２０００−３１１３４６号公報
【特許文献２】特開２００１−２３２３７号公報
【特許文献３】特開２００３−１６８２２１号公報
【特許文献４】特開平９−１４７４１５号公報
【発明の開示】
【発明が解決しようとする課題】
【０００７】
しかしながら、このような光ディスクにおいて、複数の記録層のうち所望の記録層へレーザ光のフォーカスを合わせたい場合に、当該所望の記録層とは異なる記録層へそのレーザ光のフォーカスが合わされてしまうことがある。特に、プレーヤやレコーダ等に光ディスクを挿入した直後の管理情報の読取動作中において、異なる記録層へフォーカスが合わされてしまう可能性が高い。即ち、Ｌ１層におけるＳ字信号を、Ｌ０層におけるＳ字信号であると誤認してしまうのである。このような場合、Ｌ１層におけるセクタ番号等のアドレス情報を取得し、Ｌ０層におけるアドレス情報であると誤認することによって、光ピックアップが光ディスクの内周側に暴走してストッパーにぶつかってしまう等の誤動作をしてしまう可能性があるという技術的な問題点を有している。【０００８】
本発明は、例えば上述した従来の問題点に鑑みなされたものであり、例えば複数の記録層を有する情報記録媒体に適切に情報の記録し、また記録されたデータを再生することを可能とならしめる情報記録媒体を提供することを課題とする。
【課題を解決するための手段】
【０００９】
本発明の請求の範囲第１項に記載の情報記録媒体は上記課題を解決するために、記録情報を記録するための第１記録トラックパスが形成された第１記録層と、該第１記録層に積層されており、前記記録情報を記録するための第２記録トラックパスが前記第１記録トラックパスに対して反対の方向に形成された第２記録層とを備えており、前記第１及び第２記録層のうち一方の記録層においては、レーザ光のフォーカス引き込みが行われる所定領域は前記レーザ光を反射する構成とされていると共に、前記第１及び第２記録層のうち他方の記録層においては、前記所定領域に対向する対向領域は前記レーザ光を反射しない構成とされ、前記他方の記録層は、前記対向領域に対応する部分に光吸収膜又は光散乱膜が配置されている。
【図面の簡単な説明】
【００１０】
【図１】本発明の情報記録媒体の第１実施例に係る複数の記録領域を有する光ディスクの基本構造を示した概略平面図（図１（ａ））及び、該光ディスクの概略断面図と、これに対応付けられた、その半径方向における記録領域構造の図式的概念図（図１（ｂ））である。
【図２】本発明の情報記録媒体の第１実施例に係る光ディスクの記録面における部分拡大斜視図である。
【図３】本発明の情報記録媒体の第１実施例に係る２層型光ディスクのデータ構造及び該光ディスクの記録領域におけるＥＣＣブロックを構成する物理的セクタ番号並びに該光ディスクのオポジット方式による記録又は再生方法を示した概念的グラフ図である。
【図４】本発明の情報記録媒体の第１実施例に係る２層型光ディスクのデータ構造を示した図式的なデータ構造図（図４（ａ））及びその拡大図（図４（ｂ））である。
【図５】本発明の情報記録媒体の第１実施例に係る２層型光ディスクにおける透明基板に成膜形成されたＬ０層に、更にＬ１層を成膜形成した場合の物理的構造を示した図式的構造図（図５（ａ））、並びに、Ｌ０層及びＬ１層を夫々、別基板上に成膜形成後に、これらを貼り合わせた場合の物理的構造を示した図式的構造図（図５（ｂ））である。
【図６】比較例に係る２層型光ディスクのデータ構造を示した図式的なデータ構造図（図６（ａ））及びその拡大図（図６（ｂ））である。
【図７】比較例に係る２層型光ディスクにおける透明基板に成膜形成されたＬ０層に、更にＬ１層を成膜形成した場合の物理的構造を示した図式的構造図（図７（ａ））、並びに、Ｌ０層及びＬ１層を夫々、別基板上に成膜形成後に、これらを貼り合わせた場合の物理的構造を示した図式的構造図（図７（ｂ））である。
【図８】本発明の情報記録媒体の第２実施例に係る２層型光ディスクのデータ構造を示したデータ構造図（図８（ａ））及びその拡大図（図８（ｂ））である。
【図９】本発明の情報記録媒体の第２実施例に係る２層型光ディスクにおける透明基板に成膜形成されたＬ０層に、更にＬ１層を成膜形成した場合の物理的構造を示した図式的構造図（図９（ａ））、並びに、Ｌ０層及びＬ１層を夫々、別基板上に成膜形成後に、これらを貼り合わせた場合の物理的構造を示した図式的構造図（図９（ｂ））である。
【図１０】本発明の情報記録媒体の第３実施例に係る２層型光ディスクのデータ構造を示したデータ構造図（図１０（ａ））及びその拡大図（図１０（ｂ））である。
【図１１】本発明の情報記録媒体の第３実施例に係る２層型光ディスクにおける透明基板に成膜形成されたＬ０層に、更にＬ１層を成膜形成した場合の物理的構造を示した図式的構造図（図１１（ａ））、並びに、Ｌ０層及びＬ１層を夫々、別基板上に成膜形成後に、これらを貼り合わせた場合の物理的構造を示した図式的構造図（図１１（ｂ））である。
【図１２】本発明の情報記録媒体の第４実施例に係る２層型光ディスクのデータ構造を示したデータ構造図（図１２（ａ））及びその拡大図（図１２（ｂ））である。
【図１３】本発明の情報記録媒体の第４実施例に係る２層型光ディスクにおける透明基板に成膜形成されたＬ０層に、更にＬ１層を成膜形成した場合の物理的構造を示した図式的構造図（図１３（ａ））、並びに、Ｌ０層及びＬ１層を夫々、別基板上に成膜形成後に、これらを貼り合わせた場合の物理的構造を示した図式的構造図（図１３（ｂ））である。
【図１４】本発明の情報記録媒体の第４実施例に係る２層型光ディスクのデータ構造を示したデータ構造図（図１４（ａ））及びその拡大図（図１４（ｂ））である。
【図１５】本発明の情報記録媒体の第４実施例に係る２層型光ディスクにおける透明基板に成膜形成されたＬ０層に、更にＬ１層を成膜形成した場合の物理的構造を示した図式的構造図（図１５（ａ））、並びに、Ｌ０層及びＬ１層を夫々、別基板上に成膜形成後に、これらを貼り合わせた場合の物理的構造を示した図式的構造図（図１５（ｂ））である。
【図１６】本発明の実施例に係る光ディスクの情報再生装置の全体構成を示すブロック図（図１６（ａ））及び、本発明の実施例に係るフォーカスエラー信号の一例を示したグラフ図（図１６（ｂ））である。
【符号の説明】
【００１１】
１…センターホール、１０…トラック、１１…ＥＣＣブロック、２０…記録マーク、１００…光ディスク、１０１−０（１０１−１）…リードインエリア、１０２−０（１０２−１）…データエリア、１０３−０（１０３−１）…リードアウトエリア、１０３−０ａ…半透過反射膜欠落部、１０３−１ａ…反射膜欠落部、１０３−１ｂ…光吸収又は光散乱膜、１０４−０（１０４−１）…ミドルエリア、１０６…透明基板、１０７…第１記録層、１０９…ウォブル、１０８…半透過反射膜、２０５…中間層、２０７…第２記録層、２０８…反射膜、２００…情報再生装置、２０１…対物レンズ、２０２…光ピックアップ、２０３…スピンドルモータ、２０４…ヘッドアンプ、２１０…総和生成回路、２１１…ピットデータ復調回路、２１２…ピットデータ訂正回路、２１３…バッファ、２１４…インターフェース、２２０…プッシュプル信号生成回路、２２１…ローパスフィルタ、２２２…サーボユニット、３００…ＣＰＵ、ＧＴ…グルーブトラック、ＬＴ…ランドトラック、ＬＢ…レーザ光、ＬＰ…ランドプリピット、ＣＤＺ…コントロールデータゾーン
【発明を実施するための最良の形態】
【００１２】
（情報記録媒体に係る実施形態）
以下、本発明の実施形態に係る情報記録媒体について説明する。【００１３】
本発明の情報記録媒体に係る実施形態は、記録情報を記録するための第１記録トラックパスが形成された第１記録層と、該第１記録層に積層されており、前記記録情報を記録するための第２記録トラックパスが前記第１記録トラックパスに対して反対の方向に形成された第２記録層とを備えており、前記第１及び第２記録層のうち一方の記録層においては、レーザ光のフォーカス引き込みが行われる所定領域は前記レーザ光を反射する構成とされていると共に、前記第１及び第２記録層のうち他方の記録層においては、前記所定領域に対向する対向領域は前記レーザ光を反射しない構成とされ、前記他方の記録層は、前記対向領域に対応する部分に光吸収膜又は光散乱膜が配置されている。
【００１４】
本発明の情報記録媒体に係る実施形態によれば、例えば、ディスク状の基板の一方の面上に、第１及び第２記録層が積層されており、二層型或いは多層型の例えばＤＶＤ或いは光ディスク等である。第１記録層には、例えば、セクタ番号等のアドレス情報が読出し可能に記録されると共に、第１記録トラックパスに沿って、例えば音声、映像情報或いはコンテンツ情報等の記録情報が記録可能とされている。第２記録層には、例えば、第１記録層のアドレス情報とは異なる方向に付与されたセクタ番号等のアドレス情報が読出し可能に記録されると共に、第２記録トラックパスに沿って、例えば音声、映像情報或いはコンテンツ情報等の記録情報が記録可能とされている。このように構成されているので、記録用又は再生用レーザ光は、基板、第１記録層及び第２記録層の順番に照射される。【００１５】
ここで特に、第１記録トラックパスは、例えば、ディスク状の基板の内周側及び外周側のうち一方側から他方側へと向かい、これとは逆に、第２記録トラックパスは、他方側から一方側へと向かう。即ち、当該二層型或いは多層型の情報記録媒体では、トラックパスが二つの記録層の間で逆方向を向いている“オポジット方式”による連続記録が可能とされる。従って、第１記録層の終了端（例えば、外周側の端部）に続いて第２記録層の開始端（例えば、外周側の端部）へと、記録を連続的に行うようにすれば、情報に係る記録処理或いは再生処理の対象としての記録層を切り替える際に、基板面内におけるレーザ光の照射位置を半径方向に殆ど又は全く変えないで済むので、迅速な層間ジャンプ（即ち、層間切替動作）が可能となる。これは、例えば映画などの連続した記録情報を記録する際に、記録層の切り替えのために特別なバッファ機能を必要とすることなく、途切れのない再生を行なうことが容易となるという意味で、実践上大変便利である。【００１６】
本実施形態では特に、第１及び第２記録層のうちの一方の記録層においては、記録又は再生時に最初にフォーカス引き込みされる記録又は再生用のコントロールデータ等の管理情報が、例えば、コントロールデータゾーン等の所定領域に記録されている。ここに、フォーカス引き込みとは、例えば、情報記録媒体に挿入時等に、記録又は再生用の管理情報を取得するために、光ピックアップによって、第１記録層又は第２記録層にフォーカスが合わされることをいう。また、第１及び第２記録層のうちの他方の記録層においては、所定領域に対向する対向領域において、記録用又は再生用レーザ光に応じて光が出射しない、即ち、反射しないように構成され、前記他方の記録層は、前記対向領域に対応する部分に光吸収膜又は光散乱膜が配置されている。
【００１７】
具体的には、例えば、所望の第１記録層のコントロールデータゾーン等の所定領域に対向する第２記録層の対向領域において、例えば、反射膜の欠落等により光が透過、吸収又は散乱される構成にすると、記録又は再生用レーザ光に応じて光は反射されない、即ち、出射されない。このことによって、例えば、光ピックアップからの光のフォーカスが、第２記録層に合わされることなく、所望の第１記録層に合わされることが可能であり、所望の第１記録層の、例えば、コントロールデータゾーン等に記録された管理情報が確実且つ迅速に取得されることが可能となる。【００１８】
より具体的には、例えば、所望の第１記録層における１つのＳ字信号を利用したフォーカスサーボの制御下で、光ピックアップ内の対物レンズの位置を上下させることで、第１記録層にフォーカスを合わせることが可能となり、第１記録層の、例えば、コントロールデータゾーン等の所定領域に記録されたブックタイプ等の管理情報へのアクセスを確実且つ迅速に実現することができる。何故ならば、先ず、光ピックアップ内の対物レンズを光ディスクに近づける方向に移動させると、第１記録層の例えば、半透過反射膜からの反射光のフォーカスエラー信号が“０”に収束する合焦点位置を中心としたＳ字信号が１つだけ得られる。対物レンズを、更に、上昇させ、光ディスクに近づける方向に移動させても、第１記録層の例えば、半透過反射膜を通過した光は、第２記録層の、例えば、反射膜が欠落している対向領域もそのまま通過する、即ち、第２記録層において反射することはないので、第１記録層におけるＳ字信号が出現することはなく、第２記録層にフォーカスが合わされることは殆ど又は完全にないからである。【００１９】
仮に、第１及び第２記録層の所定及び対向領域において、共にレーザ光に応じて光を射出させる構成であっても、第１及び第２記録層における２つのＳ字信号を利用したフォーカスサーボの制御下で、対物レンズの位置を上下させることで、第１及び第２記録層の夫々に対してフォーカスを合わせることもできるかもしれない。【００２０】
しかしながら、このような光ディスクにおいて、複数の記録層のうち所望の記録層へレーザ光のフォーカスを合わせたい場合に、当該所望の記録層とは異なる記録層へそのレーザ光のフォーカスが合わされてしまうことがある。特に、プレーヤやレコーダ等に光ディスクを挿入した直後の管理情報の読取動作中において、異なる記録層へフォーカスが合わされてしまう可能性が高い。即ち、例えば、第２記録層におけるＳ字信号を、第１記録層におけるＳ字信号であると誤認してしまうのである。このような場合、第２記録層におけるセクタ番号等のアドレス情報を取得し、第１記録層におけるアドレス情報であると誤認することによって、光ピックアップが光ディスクの内周側に暴走してストッパーにぶつかってしまう等の誤動作をしてしまう
これに対して、本実施形態では、例えば、所望の記録層における１つのＳ字信号を利用したフォーカスサーボの制御下で、光ピックアップ内の対物レンズの位置を上下させることで、所望の記録層にフォーカスを合わせることが可能となり、所望の記録層の、例えば、コントロールデータゾーン等に記録されたブックタイプ等の管理情報へのアクセスを確実且つ迅速に実現することができる。【００２１】
本発明の情報記録媒体に係る実施形態の一態様では、前記他方の記録層は、前記対向領域に対応する反射膜が欠落している。【００２２】
この態様によれば、先ず、光ピックアップ内の対物レンズを光ディスクに近づける方向に移動させると、例えば、所望の第１記録層の例えば、半透過反射膜からの反射光のフォーカスエラー信号が“０”に収束する合焦点位置を中心としたＳ字信号が１つだけ得られる。対物レンズを、更に、上昇させ、光ディスクに近づける方向に移動させても、第１記録層の例えば、半透過反射膜を通過した光は、第２記録層の、反射膜が欠落している対向領域もそのまま通過する、即ち、第２記録層において反射することないので、第２記録層におけるＳ字信号が出現することはなく、第２記録層にフォーカスが合わされることは殆ど又は完全にないからである。【００２３】
以上より、所望の記録層のコントロールデータゾーン等の所定領域に記録されたブックタイプ等の管理情報へのアクセスを確実且つ迅速に実現することができる。【００２４】
本発明の情報記録媒体に係る実施形態の他の態様では、前記他方の記録層は、前記対向領域に対応する部分に光吸収膜又は光散乱膜が配置されている。【００２５】
この態様によれば、先ず、光ピックアップ内の対物レンズを光ディスクに近づける方向に移動させると、例えば、所望の第１記録層の例えば、半透過反射膜からの反射光のフォーカスエラー信号が“０”に収束する合焦点位置を中心としたＳ字信号が１つだけ得られる。対物レンズを、更に、上昇させ、光ディスクに近づける方向に移動させても、第１記録層の例えば、半透過反射膜を通過したレーザ光は、第２記録層の光吸収膜又は光散乱膜によって吸収又は散乱され、第２記録層において反射することないので、第２記録層におけるＳ字信号が出現することはなく、第２記録層にフォーカスが合わされることは殆ど又は完全にないからである。【００２６】
以上より、所望の記録層の、例えば、コントロールデータゾーン等の所定領域に記録されたブックタイプ等の管理情報へのアクセスを確実且つ迅速に実現することができる。【００２７】
本発明の情報記録媒体に係る実施形態の他の態様では、前記一方の記録層は、前記他方の記録層よりも前記レーザ光が照射される側に配置されると共に、前記所定領域に対応する部分の前記対向領域の側に前記光吸収膜又は光散乱膜が配置されている。【００２８】
この態様によれば、先ず、光ピックアップ内の対物レンズを光ディスクに近づける方向に移動させると、例えば、所望の第１記録層の例えば、半透過反射膜からの反射光のフォーカスエラー信号が“０”に収束する合焦点位置を中心としたＳ字信号が１つだけ得られる。対物レンズを、更に、上昇させ、光ディスクに近づける方向に移動させても、第１記録層の例えば、半透過反射膜を通過したレーザ光ＬＢは、第１記録層の半透過反射膜の第２記録層の側において積層された光吸収又は光散乱膜によって吸収又は散乱され、第２記録層において反射することないので、第２記録層におけるＳ字信号が出現することはなく、第２記録層にフォーカスが合わされることは殆ど又は完全にないからである。【００２９】
以上より、所望の第１記録層の、例えば、コントロールデータゾーン等の所定領域に記録されたブックタイプ等の管理情報へのアクセスを確実且つ迅速に実現することができる。【００３０】
本発明の情報記録媒体に係る実施形態の他の態様では、前記一方の記録層は、前記他方の記録層よりも前記レーザ光が出射される側に配置されると共に、前記所定領域に対応する部分に全反射膜が配置されている。【００３１】
この態様によれば、先ず、光ピックアップ内の対物レンズを光ディスクに近づける方向に移動させると、例えば、所望の第１記録層の例えば、全反射膜からの反射光のフォーカスエラー信号が“０”に収束する合焦点位置を中心としたＳ字信号が１つだけ得られる。対物レンズを、更に、上昇させ、光ディスクに近づける方向に移動させても、第１記録層の全反射膜を反射したレーザ光は、当然、第１記録層を通過することはなく、第２記録層において反射することもないので、第２記録層におけるＳ字信号が出現することはなく、第２記録層にフォーカスが合わされることは殆ど又は完全にないからである。【００３２】
以上より、所望の第１記録層の、例えば、コントロールデータゾーン等の所定領域に記録されたブックタイプ等の管理情報へのアクセスを確実且つ迅速に実現することができる。【００３３】
本発明の情報記録媒体に係る実施形態の他の態様では、前記所定領域は、リードインエリアのコントロールデータを記録する領域であり、前記対向領域は、リードアウトエリアの一部領域である。【００３４】
この態様によれば、コントロールデータ等の管理情報が記録された所定領域は、例えば、所望の第１記録層のリードインエリア内に位置し、この所定領域に対向する対向領域は、第２記録層のリードアウトエリア内に位置する。【００３５】
以上より、例えば、情報記録媒体の挿入時に、例えば、所望の第１記録層のリードインエリア内に位置する、例えば、エンボス等によって形成されたコントロールデータゾーンの所定領域に記録されたブックタイプ等の管理情報へのアクセスをより確実且つ迅速に実現することができる。【００３６】
本実施形態のこのような作用及び他の利得は次に説明する実施例から明らかにされる。【００３７】
以上説明したように、本発明の情報記録媒体に係る実施形態によれば、第１及び第２記録層を備え、第１及び第２記録層のうち一方の記録層においては、所定領域はレーザ光を反射する構造とされていると共に、他方の記録層においては、対向領域はレーザ光を反射しない構造とされているので、例えば複数の記録層を有する情報記録媒体に適切に情報の記録し、また記録されたデータを再生することが可能である。
【実施例】
【００３８】
（情報記録媒体の第１実施例）
次に、図1から図７を参照して、本発明の情報記録媒体の第１実施例について図面に基づいて詳細に説明する。【００３９】
先ず図１を参照して、本発明の情報記録媒体の第１実施例に係る光ディスクの基本構造について説明する。ここに、図１（ａ）は、本発明の情報記録媒体の第１実施例に係る複数の記録領域を有する光ディスクの基本構造を示した概略平面図であり、図１（ｂ）は、該光ディスクの概略断面図と、これに対応付けられた、その半径方向における記録領域構造の図式的概念図である。【００４０】
図１（ａ）及び図１（ｂ）に示されるように、光ディスク１００は、例えば、ＤＶＤと同じく直径１２ｃｍ程度のディスク本体上の記録面に、センターホール１を中心として本実施例に係るリードインエリア１０１、データエリア１０２並びにリードアウトエリア１０３又はミドルエリア１０４が設けられている。そして、光ディスク１００の例えば、透明基板１０６に、記録層等が積層されている。そして、この記録層の各記録領域には、例えば、センターホール１を中心にスパイラル状或いは同心円状に、例えば、グルーブトラック及びランドトラック等のトラック１０が交互に設けられている。また、このトラック１０上には、データがＥＣＣブロック１１という単位で分割されて記録される。ＥＣＣブロック１１は、記録情報がエラー訂正可能なプリフォーマットアドレスによるデータ管理単位である。【００４１】
尚、本発明は、このような三つのエリアを有する光ディスクには特に限定されない。例えば、リードインエリア１０１、リードアウトエリア１０３又はミドルエリア１０４が存在せずとも、以下に説明するデータ構造等の構築は可能である。また、後述するように、リードインエリア１０１、リードアウト１０３又はミドルエリア１０４は更に細分化された構成であってもよい。【００４２】
特に、本実施例に係る光ディスク１００は、図１（ｂ）に示されるように、例えば、透明基板１０６に、後述される本発明に係る第１及び第２記録層の一例を構成するＬ０層及びＬ１層が積層された構造をしている。このような二層型の光ディスク１００の記録再生時には、図１（ｂ）中、上側から下側に向かって照射されるレーザ光ＬＢの集光位置をいずれの記録層に合わせるかに応じて、Ｌ０層における記録再生が行なわれるか又はＬ１層における記録再生が行われる。また、本実施例に係る光ディスク１００は、２層片面、即ち、デュアルレイヤーに限定されるものではなく、２層両面、即ちデュアルレイヤーダブルサイドであってもよい。更に、上述の如く２層の記録層を有する光ディスクに限られることなく、３層以上の多層型の光ディスクであってもよい。【００４３】
尚、２層型光ディスクにおけるオポジット方式による記録再生手順及び各層におけるデータ構造については、後述される。【００４４】
次に図２を参照して、本発明の情報記録媒体の第１実施例に係る光ディスクの物理的構成の概略について説明する。より具体的には、第１実施例に係る光ディスク１００では、複数のデータゾーン１０２等が例えば積層構造に形成される２層型の光ディスクとして構成されている。ここに、図２は、本発明の情報記録媒体の第１実施例に係る光ディスクの記録面における部分拡大斜視図である。【００４５】
図２に示されるように、第１実施例では、光ディスク１００は、ディスク状の透明基板１０６上に（図２では下側に）、情報記録面を構成する相変化型又は加熱などによる非可逆変化記録型の第１記録層１０７が積層され、更にその上に（図２では下側）に、半透過反射膜１０８が積層されている。第１記録層１０７の表面からなる情報記録面には、グルーブトラックＧＴ及びランドトラックＬＴが交互に形成されている。尚、光ディスク１００の記録時及び再生時には、例えば図２に示したように、透明基板１０６を介してグルーブトラックＧＴ上に、レーザ光ＬＢが照射される。例えば、記録時には、記録レーザパワーでレーザ光ＬＢが照射されることで、記録データに応じて、第１記録層１０７への相変化による書き込み又は加熱などによる非可逆変化記録が実施される。他方、再生時には、記録レーザパワーよりも弱い再生レーザパワーでレーザ光ＬＢが照射されることで、第1記録層１０７へ書き込みされた記録データの読出しが実施される。【００４６】
第１実施例では、グルーブトラックＧＴは、一定の振幅及び空間周波数で揺動されている。即ち、グルーブトラックＧＴは、ウォブリングされており、そのウォブル１０９の周期は所定値に設定されている。ランドトラックＬＴ上にはプリフォーマットアドレス情報を示すランドプリピットＬＰと呼ばれるアドレスピットが形成されている。この２つのアドレッシング（即ち、ウォブル１０９及びランドプリピットＬＰ）により記録中のディスク回転制御や記録クロックの生成、また記録アドレス等のデータ記録に必要な情報を得ることができる。尚、グルーブトラックＧＴのウォブル１０９を周波数変調や位相変調など所定の変調方式により変調することによりプリフォーマットアドレス情報を予め記録するようにしてもよい。【００４７】
第１実施例では特に、半透過反射膜１０８上（図２では下側）に、第２記録層２０７が形成され、更にその上（図２では下側）に、反射膜２０８が形成されている。第２記録層２０７は、透明基板１０６、第１記録層１０７及び半透過反射膜１０８を介してレーザ光ＬＢが照射されることで、第１記録層１０７と概ね同様に、相変化型又は加熱などによる非可逆変化記録型の記録及び再生が可能なように構成されている。このような第２記録層２０７及び反射膜２０８については、第１記録層１０７及び半透過反射膜１０８等が形成された透明基板１０６上に積層、即ち、成膜形成してもよいし、別基板上に積層、即ち、成膜形成した後に、これを透明基板１０６に貼り合わせるようにしてもよい。尚、半透過反射膜１０８と第２記録層２０７との間には、製造方法に応じて適宜、透明接着剤等からなる透明な中間層２０５が設けられる。【００４８】
このような二層型の光ディスク１００の記録再生時には、レーザ光ＬＢの集光位置、即ち、フォーカスをいずれの記録層に合わせるかに応じて、第１記録層１０７における記録再生が行なわれるか又は第２記録層２０７における記録再生が行われる。【００４９】
次に、図３を参照して、本発明の情報記録媒体の第１実施例に係る２層型光ディスクのデータ構造及び該光ディスクの記録領域におけるＥＣＣブロックを構成する物理的セクタ番号並びに該光ディスクのオポジット方式による記録又は再生手順について詳細に説明する。ここに、物理的セクタ番号（以下適宜、セクタ番号と称す。）とは、光ディスクの記録領域における絶対的な物理的アドレスを示した位置情報（アドレス情報）である。また、図３は、本発明の情報記録媒体の第１実施例に係る２層型光ディスクのデータ構造及び該光ディスクの記録領域におけるＥＣＣブロックを構成する物理的セクタ番号並びに該光ディスクのオポジット方式による記録又は再生方法を示した概念的グラフ図である。縦軸は、１６進数で表現されたセクタ番号を示し、横軸は、光ディスクの半径方向の相対的な位置を示す。【００５０】
図３に示されるように、本発明の情報記録媒体の第１実施例に係る２層型光ディスク１００は、前述した透明基板と該基板に積層された２層の記録層、即ち、Ｌ０層（即ち、図２における本発明に係る第１記録層１０７に相当する記録層）とＬ１層（即ち、図２における本発明に係る第２記録層２０７に相当する記録層）とを備えて構成されている（尚、図３は、説明の便宜上、図１（ｂ）、図２等と比べて上下が逆転している）。具体的には、Ｌ０層には、内周側から外周側にかけて、リードインエリア１０１−０、データエリア１０２−０及びミドルエリア１０４−０が設けられている。このリードインエリア１０１−０には、ＯＰＣ（Optimum Power Calibration）処理のためのＰＣ（Power Calibration）エリアＰＣＡ及び管理情報等が記録されている本発明に係る所定領域の一例を構成するコントロールデータゾーンＣＤＺ等が設けられている。【００５１】
他方、Ｌ１層には、外周側から内周側にかけて、ミドルエリア１０４−１、データエリア１０２−１及びリードアウト１０３−１が設けられている。このリードアウトエリア１０３−１にも、図示しないＯＰＣエリア等が設けられていてもよい。【００５２】
以上のように２層型光ディスク１００は構成されているので、該光ディスク１００の記録又は再生の際には、図示しない光ピックアップによって、レーザ光ＬＢは、前述した透明基板の側から、即ち、図３中の下側から上側に向けて照射され、その焦点距離等が制御されると共に、光ディスク１００の半径方向における移動距離及び方向が制御される。これにより、夫々の記録層にデータが記録され、又は、記録されたデータが再生される。【００５３】
特に、本発明の情報記録媒体の第１実施例に係る２層型光ディスクの記録又は再生手順としてオポジット方式が採用されている。ここに、オポジット方式とは、より詳細には、２層型光ディスクの記録又は再生手順として、後述される情報記録再生装置の光ピックアップが、Ｌ０層において、内周側から外周側へ向かって、即ち、図３中の矢印の右方向へ移動するのとは逆に、Ｌ１層においては、光ピックアップが外周側から内周側へ向かって、即ち、図３中の矢印の左方向へ移動することによって、２層型光ディスクにおける記録又は再生が行われる方式である。このオポジット方式では、Ｌ０層における記録又は再生が終了されると、Ｌ１層における記録又は再生が開始される時に、光ディスクの最外周にある光ピックアップが再度、最内周へ向かって移動する必要はなく、Ｌ０層からＬ１層への焦点距離だけを切り換えればよいため、Ｌ０層からＬ１層への切り換え時間が、二つの記録層の間でトラックパスの方向が同一である記録又は再生方式であるパラレル方式と比較して短いという利点があるため大容量のコンテンツ情報の記録には採用されている。【００５４】
具体的には、先ず、Ｌ０層において、光ピックアップがリードインエリア１０１−０、データエリア１０２−０及びミドルエリア１０４−０を内周側から外周側へ移動するにつれて光ディスク１００の記録領域におけるセクタ番号は増加していく。より具体的には、光ピックアップが、セクタ番号が“０２ＦＦＦＦｈ”のリードインエリア１０１−０の終了位置（図３中のＡ地点を参照）、セクタ番号が“０３００００ｈ”のデータエリア１０２−０の開始位置（図３中のＢ地点を参照）、セクタ番号が“１ＡＦＦＦＦｈ”のデータエリア１０２−０の終了位置（以下、適宜、Ｌ０層の「折り返し点」と称す：図３中のＣ地点を参照）に順次アクセスして、緩衝の役目を果たすミドルエリア１０４−０へと移動されることによって、Ｌ０層における記録又は再生が行われる。尚、本実施例において、“３００００ｈ”等の末尾の“ｈ”とは１６進数で表現されていることを示す。【００５５】
他方、Ｌ１層において、具体的には、光ピックアップがミドルエリア１０４−１、データエリア１０２−１及びリードアウトエリア１０３−１を外周側から内周側へ移動するにつれて光ディスク１００の記録領域におけるセクタ番号は増加していく。より具体的には、光ピックアップが、緩衝の役目を果たすミドルエリア１０４−１、セクタ番号が“Ｅ５００００ｈ”のデータエリア１０２−１の開始位置（以下、適宜、Ｌ１層の「折り返し地点」と称す：図３中のＤ地点を参照）、セクタ番号が“ＦＣＦＦＥＦｈ”のデータエリア１０２−１の終了位置（図３中のＥ地点を参照）に順次アクセスして、リードアウトエリア１０３−１へと移動されることによって、Ｌ１層における記録又は再生が行われる。【００５６】
以上説明したＬ０層とＬ１層におけるセクタ番号はすべて、１６進数における１５の補数の関係にある。より具体的には、例えば、Ｌ０層における折り返し点（セクタ番号“１ＡＦＦＦＦｈ”）とＬ１層における折り返し点（セクタ番号“Ｅ５００００ｈ”）は１５の補数の関係にある。形式的には、“１ＡＦＦＦＦｈ”の補数は、１６進数のセクタ番号“１ＡＦＦＦＦｈ”を２進数“０００１１０１０１１１１１１１１１１１１１１１１”に変換してからビット反転（インバート：invert）“１１１００１０１００００００００００００００００”させ、１６進数“Ｅ５００００ｈ”に再変換させることによって求められる。よって、コンテンツ情報は、例えば、Ｌ０層のデータエリア１０２−０のセクタ番号“０３００００ｈ”から“１ＡＦＦＦＦｈ”及びＬ１層のデータエリア１０２−１のセクタ番号“Ｅ５００００ｈ”から“ＦＣＦＦＥＦｈ”において、光ピックアップが連続して移動されると同時に記録又は再生される。【００５７】
以上説明した物理的セクタ番号に対して、論理ブロックアドレス（ＬＢＡ：Logical Block Address）が、１対１に割り付けられている。より具体的には、例えば、セクタ番号“０３００００ｈ”には“００００００”ＬＢＡが対応し、セクタ番号“ＦＣＦＦＥＦｈ”には、“３０ＦＦＥＦ”ＬＢＡが対応する。【００５８】
次に図４及び図５を参照して、本発明の情報記録媒体の第１実施例に係る２層型光ディスクのデータ構造及び物理構造並びに該光ディスクの記録又は再生時に所望の記録層にフォーカスが合わされる方法について詳細に説明する。ここに、図４は、本発明の情報記録媒体の第１実施例に係る２層型光ディスクのデータ構造を示した図式的なデータ構造図（図４（ａ））及びその拡大図（図４（ｂ））である。尚、図４において、光ピックアップ２０２内の図示しない半導体レーザから出射されたレーザ光ＬＢは、対物レンズ２０１によって、Ｌ０層及びＬ１層に向けて集光される。図５は、本発明の情報記録媒体の第１実施例に係る２層型光ディスクにおける透明基板に成膜形成されたＬ０層に、更にＬ１層を成膜形成した場合の物理的構造を示した図式的構造図（図５（ａ））、並びに、Ｌ０層及びＬ１層を夫々、別基板上に成膜形成後に、これらを貼り合わせた場合の物理的構造を示した図式的構造図（図５（ｂ））である。【００５９】
本発明の情報記録媒体の第１実施例に係る２層型光ディスクのデータ構造については、前述した図３における説明と同様であるので省略する。また、該光ディスクの物理的構造についても、前述した図２における説明と同様であるので省略する。【００６０】
特に、図４及び図５に示されるように、本発明の情報記録媒体の第１実施例に係る２層型光ディスクにおいては、Ｌ０層のコントロールデータゾーンＣＤＺに対向するＬ１層の反射膜欠落部１０３−１ａにおいて、反射膜２０８が欠落している。このことによって、光ピックアップからのレーザ光ＬＢのフォーカスが、Ｌ１層に合わされることなく、Ｌ０層に合わされることが可能であり、Ｌ０層のコントロールデータゾーンＣＤＺに記録された管理情報が確実且つ迅速に取得されることが可能となる。【００６１】
より具体的には、所望のＬ０層における１つのＳ字信号を利用したフォーカスサーボの制御下で、光ピックアップ内の対物レンズの位置を上下させることで、Ｌ０層にフォーカスを合わせることが可能となり、Ｌ０層のコントロールデータゾーンＣＤＺに記録されたブックタイプ等の管理情報へのアクセスを確実且つ迅速に実現することができる。何故ならば、先ず、光ピックアップ内の対物レンズを光ディスクに近づける方向に移動させると、Ｌ０層の半透過反射膜１０８からの反射光のフォーカスエラー信号が“０”に収束する合焦点位置を中心としたＳ字信号が１つだけ得られる。仮に、対物レンズを、更に、上昇させ、光ディスクに近づける方向に移動させても、Ｌ０層の半透過反射膜１０８を通過したレーザ光ＬＢは、Ｌ１層の反射膜欠落部１０３−１ａもそのまま通過する、即ち、Ｌ１層において反射することないので、Ｌ１層におけるＳ字信号が出現することはなく、Ｌ１層にフォーカスが合わされることは殆ど又は完全にないからである。【００６２】
尚、図示しないパラレル方式の２層型光ディスクにおいても、Ｌ０層のコントロールデータゾーンＣＤＺに対向するＬ１層の反射膜欠落部１０３−１ａにおいて、反射膜２０８が欠落している構成を採用してもよい。このように構成しても、上述した本実施例に係る光ディスクと同様の利益を享受することが可能となる。【００６３】
次に、図６及び図７に加えて前述した図３を適宜参照して、本発明の情報記録媒体の第１実施例の作用効果について検討を加える。ここに、図６は、比較例に係る２層型光ディスクのデータ構造を示した図式的なデータ構造図（図６（ａ））及びその拡大図（図６（ｂ））である。図７は、比較例に係る２層型光ディスクにおける透明基板に成膜形成されたＬ０層に、更にＬ１層を成膜形成した場合の物理的構造を示した図式的構造図（図７（ａ））、並びに、Ｌ０層及びＬ１層を夫々、別基板上に成膜形成後に、これらを貼り合わせた場合の物理的構造を示した図式的構造図（図７（ｂ））である。【００６４】
比較例に係る２層型光ディスクのデータ構造については、前述した図３における説明と同様であるので省略する。また、該光ディスクの物理的構造についても、前述した図２における説明と同様であるので省略する。【００６５】
図６及び図７に加えて前述した図３に示すように、比較例に係るオポジット方式の光ディスク１００においては、Ｌ０層の全体において、半透過反射膜１０８が積層され、Ｌ１層の全体において、反射膜２０８が積層されている。よって、光ディスク１００の挿入直後には、Ｌ０層の半透過反射膜１０８からの反射光のフォーカスエラー信号が“０”に収束する合焦点位置を中心としたＳ字信号に加えて、Ｌ１層の反射膜２０８からの反射光のフォーカスエラー信号が“０”に収束する合焦点位置を中心としたもう１つのＳ字信号が得られる。これら２つのＳ字信号を利用したフォーカスサーボの制御下で、Ｌ０層のコントロールデータゾーンＣＤＺにレーザ光ＬＢが照射された場合、例えば、外からの振動等の何らかの外的又は内的要因によって、誤って同じ半径位置に対応するＬ１層にレーザ光ＬＢのフォーカスが合わされる可能性がある。【００６６】
この場合、Ｌ１層においても位置情報や管理情報等の情報を読み取ることができるため、後述される情報記録再生装置は、例えば、セクタ番号等の位置情報を認識し、Ｌ１層において記録又は再生動作を継続しようとする。より具体的には、情報記録再生装置の制御下で、光ピックアップは、コントロールデータゾーンＣＤＺのセクタ番号“０２５０００ｈ”のサーチを行う。ここで、レーザ光ＬＢが誤ってＬ１層にフォーカスが合わされているので、例えば、Ｌ１層のセクタ番号“ＦＤＡＦＦＦ”、（即ち、“０２５０００ｈ”のインバート）にアクセスされる。【００６７】
ここで、オポジット方式の光ディスクにおいては、前述した図３に示されるように、Ｌ０層におけるセクタ番号は、内周側（即ち、リードインエリア１０１−０の側）へ向かうにつれて減少し、他方、Ｌ１層におけるセクタ番号は、内周側（即ち、リードアウトエリア１０３−１の側）へ向かうにつれて増加する。従って、情報記録再生装置の光ピックアップは、Ｌ１層にフォーカスが合わされているにも関わらず、Ｌ０層にファーカスが合わされていると誤認して、目的となるより小さなセクタ番号“０２５０００ｈ”を求めて、内周側に向かってサーチする。【００６８】
しかしながら、Ｌ１層においては、内周側へ向かうにつれてセクタ番号が増加するため、情報記録再生装置は適切なセクタ番号をサーチすべく、更に内周側へ光ピックアップを移動させる。このため、最終的には最内周側に位置するストッパーにより光ピックアップの移動が制限されるまでこの動作を継続することとなる。よって、所望の記録層において記録された管理情報が適切に取得されない可能性がある。このような事態は、情報の適切且つ迅速な記録又は再生動作において好ましくない。従って、実際にはＬ１層にレーザ光のフォーカスが合っていても、情報記録再生装置としては、Ｌ０層にフォーカスが合っていると認識してしまうことがある。このため、上述したように、本来意図したとおりに適切に記録又は再生用の管理情報の取得を行うことができないという技術的な問題点を有している。【００６９】
これに対して、図１から図５を参照して説明した第１実施例に係る光ディスクによれば、Ｌ０層のコントロールデータゾーンＣＤＺに対向するＬ１層の反射膜欠落部１０３−１ａにおいて、反射膜２０８が欠落しているように構成することで、光ピックアップからのレーザ光ＬＢのフォーカスが、Ｌ１層に合わされることなく、Ｌ０層に合わされることが可能であり、Ｌ０層のコントロールデータゾーンＣＤＺに記録された管理情報が確実且つ迅速に取得されることが可能となる。【００７０】
（情報記録媒体の第２実施例）
次に図８及び図９を参照して、本発明の情報記録媒体の第２実施例に係る２層型光ディスクのデータ構造及び物理構造並びに該光ディスクの記録又は再生時に所望の記録層にフォーカスが合わされる方法について詳細に説明する。ここに、図８は、本発明の情報記録媒体の第２実施例に係る２層型光ディスクのデータ構造を示したデータ構造図（図８（ａ））及びその拡大図（図８（ｂ））である。尚、図８においても前述した図４と同様にして、光ピックアップ２０２内の図示しない半導体レーザから出射されたレーザ光ＬＢは、対物レンズ２０１によって、Ｌ０層及びＬ１層に向けて集光される。図９は、本発明の情報記録媒体の第２実施例に係る２層型光ディスクにおける透明基板に成膜形成されたＬ０層に、更にＬ１層を成膜形成した場合の物理的構造を示した図式的構造図（図９（ａ））、並びに、Ｌ０層及びＬ１層を夫々、別基板上に成膜形成後に、これらを貼り合わせた場合の物理的構造を示した図式的構造図（図９（ｂ））である。【００７１】
本発明の情報記録媒体の第２実施例に係る２層型光ディスクのデータ構造及び物理的構造については、図１から図７を参照して説明した第１実施例と概ね同様である。【００７２】
特に、図８及び図９に示されるように、本発明の情報記録媒体の第２実施例に係る２層型光ディスクにおいては、Ｌ１層のコントロールデータゾーンＣＤＺに対向するＬ０層の半透過反射膜欠落部１０３−０ａにおいて半透過反射膜１０８が欠落している。このことによって、光ピックアップからのレーザ光ＬＢの焦点が、Ｌ０層に合わされることなく、Ｌ１層に合わされることが可能であり、Ｌ１層のコントロールデータゾーンＣＤＺに記録された管理情報が確実且つ迅速に取得されることが可能となる。【００７３】
より具体的には、所望のＬ１層における１つのＳ字信号を利用したフォーカスサーボの制御下で、光ピックアップ内の対物レンズの位置を上下させることで、Ｌ１層にフォーカスを合わせることが可能となり、Ｌ０層のコントロールデータゾーンＣＤＺに記録されたブックタイプ等の管理情報へのアクセスを確実且つ迅速に実現することができる。何故ならば、先ず、光ピックアップ内の対物レンズを光ディスクに近づける方向に移動させると、記録又は再生用のレーザ光ＬＢは、Ｌ０層の半透過反射膜欠落部１０３−０ａを通過する、即ち、反射することないので、Ｌ０層におけるＳ字信号が出現することはない。対物レンズを、更に、上昇させ、光ディスクに近づける方向に移動させると、Ｌ１層の反射膜２０８からの反射光のフォーカスエラー信号が“０”に収束する合焦点位置を中心としたＳ字信号が１つだけ得られる。よって、Ｌ０層にフォーカスが合わされることは殆ど又は完全にないからである。【００７４】
これにより、第２実施例に係る光ディスクにおいても、第１実施例に係る光ディスクと同様の利益を享受することが可能となる。【００７５】
（情報記録媒体の第３実施例）
次に図１０及び図１１を参照して、本発明の情報記録媒体の第３実施例に係る２層型光ディスクのデータ構造及び物理構造並びに該光ディスクの記録又は再生時に所望の記録層にフォーカスが合わされる方法について詳細に説明する。ここに、図１０は、本発明の情報記録媒体の第３実施例に係る２層型光ディスクのデータ構造を示したデータ構造図（図１０（ａ））及びその拡大図（図１０（ｂ））である。尚、図１０においても前述した図４と同様にして、光ピックアップ２０２内の図示しない半導体レーザから出射されたレーザ光ＬＢは、対物レンズ２０１によって、Ｌ０層及びＬ１層に向けて集光される。図１１は、本発明の情報記録媒体の第３実施例に係る２層型光ディスクにおける透明基板に成膜形成されたＬ０層に、更にＬ１層を成膜形成した場合の物理的構造を示した図式的構造図（図１１（ａ））、並びに、Ｌ０層及びＬ１層を夫々、別基板上に成膜形成後に、これらを貼り合わせた場合の物理的構造を示した図式的構造図（図１１（ｂ））である。【００７６】
本発明の情報記録媒体の第３実施例に係る２層型光ディスクのデータ構造及び物理的構造については、図１から図７を参照して説明した第１実施例と概ね同様である。【００７７】
特に、図１０及び図１１に示されるように、本発明の情報記録媒体の第３実施例に係る２層型光ディスクにおいては、Ｌ０層のコントロールデータゾーンＣＤＺに対向するＬ１層における対向領域において、Ｌ１層の反射膜２０８のＬ０層側に光吸収又は光散乱膜１０３−１ｂが備えられて構成されている。このことによって、光ピックアップからのレーザ光ＬＢの焦点が、Ｌ１層に合わされることなく、Ｌ０層に合わされることが可能であり、コントロールデータゾーンＣＤＺに記録された管理情報が確実且つ迅速に取得されることが可能となる。【００７８】
より具体的には、所望のＬ０層における１つのＳ字信号を利用したフォーカスサーボの制御下で、光ピックアップ内の対物レンズの位置を上下させることで、Ｌ０層にフォーカスを合わせることが可能となり、Ｌ０層のコントロールデータゾーンＣＤＺに記録されたブックタイプ等の管理情報へのアクセスを確実且つ迅速に実現することができる。何故ならば、先ず、光ピックアップ内の対物レンズを光ディスクに近づける方向に移動させると、Ｌ０層の半透過反射膜１０８からの反射光のフォーカスエラー信号が“０”に収束する合焦点位置を中心としたＳ字信号が１つだけ得られる。仮に、対物レンズを、更に、上昇させ、光ディスクに近づける方向に移動させても、Ｌ０層の半透過反射膜１０８を通過したレーザ光ＬＢは、Ｌ１層の光吸収又は光散乱膜１０３−１ｂによって吸収又は散乱され、Ｌ１層において反射することないので、Ｌ１層におけるＳ字信号が出現することはなく、Ｌ１層にフォーカスが合わされることは殆ど又は完全にないからである。【００７９】
これにより、第３実施例に係る光ディスクにおいても、第１実施例に係る光ディスクと同様の利益を享受することが可能となる。【００８０】
（情報記録媒体の第４実施例）
次に図１２及び図１３を参照して、本発明の情報記録媒体の第４実施例に係る２層型光ディスクのデータ構造及び物理構造並びに該光ディスクの記録又は再生時に所望の記録層にフォーカスが合わされる方法について詳細に説明する。ここに、図１２は、本発明の情報記録媒体の第４実施例に係る２層型光ディスクのデータ構造を示したデータ構造図（図１２（ａ））及びその拡大図（図１２（ｂ））である。尚、図１２においても前述した図４と同様にして、光ピックアップ２０２内の図示しない半導体レーザから出射されたレーザ光ＬＢは、対物レンズ２０１によって、Ｌ０層及びＬ１層に向けて集光される。図１３は、本発明の情報記録媒体の第４実施例に係る２層型光ディスクにおける透明基板に成膜形成されたＬ０層に、更にＬ１層を成膜形成した場合の物理的構造を示した図式的構造図（図１３（ａ））、並びに、Ｌ０層及びＬ１層を夫々、別基板上に成膜形成後に、これらを貼り合わせた場合の物理的構造を示した図式的構造図（図１３（ｂ））である。【００８１】
本発明の情報記録媒体の第４実施例に係る２層型光ディスクのデータ構造及び物理的構造については、図１から図７を参照して説明した第１実施例と概ね同様である。【００８２】
特に、図１２及び図１３に示されるように、本発明の情報記録媒体の第４実施例に係る２層型光ディスクにおいては、Ｌ０層にコントロールデータゾーンＣＤＺが設けられていると共に、Ｌ０層の半透過反射膜１０８のＬ１層の側において光吸収又は散乱膜１０３−０ｂが積層されて構成されている。このことによって、上述した第３実施例の場合とほぼ同様の作用によって、光ピックアップからのレーザ光ＬＢの焦点が、Ｌ１層に合わされることなく、Ｌ０層に合わされることが可能であり、コントロールデータゾーンＣＤＺに記録された管理情報が確実且つ迅速に取得されることが可能となる。【００８３】
これにより、第４実施例に係る光ディスクにおいても、第１実施例に係る光ディスクと同様の利益を享受することが可能となる。【００８４】
（情報記録媒体の第５実施例）
次に図１４及び図１５を参照して、本発明の情報記録媒体の第５実施例に係る２層型光ディスクのデータ構造及び物理構造並びに該光ディスクの記録又は再生時に目的となる記録層にフォーカスが合わされる方法について詳細に説明する。ここに、図１４は、本発明の情報記録媒体の第５実施例に係る２層型光ディスクのデータ構造を示したデータ構造図（図１４（ａ））及びその拡大図（図１４（ｂ））である。尚、図１４においても前述した図４と同様にして、光ピックアップ２０２内の図示しない半導体レーザから出射されたレーザ光ＬＢは、対物レンズ２０１によって、Ｌ０層及びＬ１層に向けて集光される。図１５は、本発明の情報記録媒体の第５実施例に係る２層型光ディスクにおける透明基板に成膜形成されたＬ０層に、更にＬ１層を成膜形成した場合の物理的構造を示した図式的構造図（図１５（ａ））、並びに、Ｌ０層及びＬ１層を夫々、別基板上に成膜形成後に、これらを貼り合わせた場合の物理的構造を示した図式的構造図（図１５（ｂ））である。【００８５】
本発明の情報記録媒体の第５実施例に係る２層型光ディスクのデータ構造及び物理的構造については、図１から図７を参照して説明した第１実施例と概ね同様である。【００８６】
特に、図１４及び図１５に示されるように、本発明の情報記録媒体の第５実施例に係る２層型光ディスクにおいては、Ｌ０層にコントロールデータゾーンＣＤＺが設けられていると共に、Ｌ０層の半透過反射膜１０８の光ピックアップ２０２の位置する側であって且つ記録層の半透過反射膜１０８の側において反射膜１０３−０ｃが備えられて構成されている。尚、この反射膜１０３−０ｃは、透過率を調整する機能を有していてもよい。このことによって、光ピックアップからのレーザ光ＬＢの焦点が、Ｌ１層に合わされることなく、Ｌ０層に合わされることが可能であり、コントロールデータゾーンＣＤＺに記録された管理情報が確実且つ迅速に取得されることが可能となる。【００８７】
より具体的には、所望のＬ０層における１つのＳ字信号を利用したフォーカスサーボの制御下で、光ピックアップ内の対物レンズの位置を上下させることで、Ｌ０層にフォーカスを合わせることが可能となり、Ｌ０層のコントロールデータゾーンＣＤＺに記録されたブックタイプ等の管理情報へのアクセスを確実且つ迅速に実現することができる。何故ならば、先ず、光ピックアップ内の対物レンズを光ディスクに近づける方向に移動させると、Ｌ０層の半透過反射膜１０８の光ピックアップ２０２側に備えられた反射膜１０３−０ｃからの反射光のフォーカスエラー信号が“０”に収束する合焦点位置を中心としたＳ字信号が１つだけ得られる。対物レンズを、更に、上昇させ、光ディスクに近づける方向に移動させても、Ｌ０層の反射膜１０３−０ｃを反射したレーザ光ＬＢは、当然、Ｌ０層の半透過反射膜１０８を通過することはなく、Ｌ１層において反射することもないので、Ｌ１層におけるＳ字信号が出現することはなく、Ｌ１層にフォーカスが合わされることは殆ど又は完全にないからである。【００８８】
これにより、第５実施例に係る光ディスクにおいても、第１実施例に係る光ディスクと同様の利益を享受することが可能となる。【００８９】
尚、第５実施例において、反射膜１０３−０ｃを、半透過反射膜１０８に隣接して設けるのではなく、コントロールデータゾーンＣＤＺにおいて、半透過反射膜１０８の一部に代えて反射膜１０３−０ｃを設けるようにしてもよい。【００９０】
（情報再生装置）
次に図１６を参照して、本発明の実施例に係る光ディスクの情報再生装置について説明する。ここに、図１６（ａ）は、本発明の実施例に係る光ディスクの情報再生装置の全体構成を示すブロック図であり、図１６（ｂ）は、本発明の実施例に係るフォーカスエラー信号の一例を示したグラフ図である。尚、図１６（ｂ）において、縦軸は、ファーカスエラー信号の強度（例えば、“Voltage”）を示し、横軸は、対物レンズの位置（例えば、“μｍ”）を示す。【００９１】
情報再生装置２００は、光ディスク１００、本発明に係る「再生手段」の一例を構成する光ピックアップ２０２、スピンドルモータ２０３、ヘッドアンプ２０４、総和生成回路２１０、ピットデータ復調回路２１１、ピットデータ訂正回路２１２、バッファ２１３、インターフェース２１４、プッシュプル信号生成回路２２０、ローパスフィルタ２２１、サーボユニット２２２、及び、ＣＰＵ（Central Processing Unit）３００を備えて構成されている。【００９２】
光ディスク１００には、第１クロック信号ＣＫ１に同期したピットデータＤＰが記録マーク２０の長短によって記録されている。ＲＦ再生信号成分の第１クロック信号ＣＫ１は、前述の光ディスク１００の各種実施例で説明したように、ウォブリング又はアンリーダブルエンボス等に応じて、ほぼ一定周期で変動する光ディスク１００のＲＦ再生信号成分から、当該情報再生装置２００により生成可能な信号であり、本実施例では、ピットデータ復調回路２１１により生成される。尚、本実施例では、記録マーク２０はピットとも解釈でき、トラックはこのピット列によって構成される。【００９３】
情報再生装置２００は、より具体的には、光ディスク１００に対して再生ビームを照射するとともに反射光に応じた信号を出力する光ピックアップ２０２と、光ディスク１００の回転を制御するスピンドルモータ２０３と、サーボユニット２２２を備える。サーボユニット２２２には、第１クロック信号ＣＫ１及びピット同期信号ＳＹＮＣｐが供給される。サーボユニット２２２は、これらの信号に同期して、スピンドルモータ２０３の回転を制御するスピンドルサーボ、光ピックアップ２０２の光ディスク１００に対する相対的位置制御であるフォーカスサーボ及びトラッキングサーボを実行する。【００９４】
光ピックアップ２０２は、再生ビームを照射するレーザーダイオード、図示しない４分割検出回路を備える。４分割検出回路は、再生ビームの反射光を図１６の上方に示す領域１Ａ、１Ｂ、１Ｃ、１Ｄに４分割し、各領域の光量に応じた信号を各々出力する。ヘッドアンプ２０４は、光ピックアップ２０２の各出力信号を各々増幅し、領域１Ａに対応する分割読取信号１ａ、領域１Ｂに対応する分割読取信号１ｂ、領域１Ｃに対応する分割読取信号１ｃ、及び領域１Ｄに対応する分割読取信号１ｄを出力する。尚、ここで、例えば、非点収差法によるフォーカスエラー信号が検出される（図１６（ｂ）を参照）。【００９５】
総和生成回路２１０は、分割読取信号１ａ、１ｂ、１ｃ、及び１ｄを加算して、総和読取信号ＳＲＦを出力する加算回路からなる。なお、総和読取信号ＳＲＦは、記録マークの長短を表す信号である。【００９６】
ピットデータ復調回路２１１は、総和読取信号ＳＲＦに基づいてピットデータＤＰを再生すると共に第１クロック信号ＣＫ１を生成する。より具体的にはピットデータ復調回路２１１は、ピット同期信号ＳＹＮＣｐを基準位置として、再生されたピットデータＤＰを所定のテーブルを用いて復調して再生データを生成する。例えば、変調方式としてＥＦＭ変調が採用される場合には、１４ビットのピットデータＤＰを８ビットの再生データに変換する処理が施される。そして、再生データの順序を予め定められた規則に従って並べ換えるデスクランブル処理が実行されて、処理済の再生データが出力される。【００９７】
このようにして得られた再生データは、ピットデータ訂正回路２１２へ供給され、そこで、エラー訂正処理や補間処理等が施された後、バッファ２１３に記憶される。インターフェース２１４はバッファ２１３に記憶されたデータを順次読み出して所定の出力形式に変換して外部機器へ出力する。【００９８】
プッシュプル信号生成回路２２０は、（１ａ＋１ｄ）−（１ｂ＋１ｃ）を算出して、プッシュプル信号を生成する。成分（１ａ＋１ｄ）は、読取方向に対して左側の領域１Ａ及び１Ｄに対応する一方、成分（１ｂ＋１ｃ）は、読取方向に対して右側の領域１Ｂ及び１Ｃに対応する。プッシュプル信号の値は再生ビームとピットの相対的な位置関係を表している。【００９９】
プッシュプル信号はローパスフィルタ２２１を介してサーボユニット２２２へ出力される。サーボユニット２２２は、プッシュプル信号に基づいてトラッキング制御を実行する。【０１００】
ＣＰＵ３００は、図示しないバス等を介して接続され、各回路又は手段等に指示を行うことで、情報再生装置２００全体の制御を行う。通常、ＣＰＵ３００が動作するためのソフトウェアは、図示しないメモリ等に格納されている。【０１０１】
ＣＰＵ３００は、図示しないバス等を介して接続され、各回路又は手段等に指示を行うことで、情報再生装置２００全体の制御を行う。通常、ＣＰＵ３００が動作するためのソフトウェアは、図示しないメモリ等に格納されている。【０１０２】
本実施例では、情報記録媒体の一具体例として、例えば、２層型ＤＶＤ−Ｒ等の追記型光ディスクについて説明したが、本発明は、例えば、２層型ＤＶＤ−Ｒ／Ｗ等の書き換え型光ディスクに適用可能である。加えて、例えば、３層型等のマルチプルレイヤ型の光ディスクにも適用可能である。更に、ブルーレイ（Blue-ray）ディスク等の大容量記録媒体にも適用可能である。【０１０３】
本発明は、上述した実施例に限られるものではなく、請求の範囲及び明細書全体から読み取れる発明の要旨或いは思想に反しない範囲で適宜変更可能であり、そのような変更を伴なう情報記録媒体もまた本発明の技術的範囲に含まれるものである。
【産業上の利用可能性】
【０１０４】
本発明に係る情報記録媒体は、例えば、民生用或いは業務用の、各種情報を高密度に記録可能なＤＶＤ等の情報記録媒体として利用可能である。
【図１】
0004315253.tif 000002
【図２】
0004315253.tif 000003
【図３】
0004315253.tif 000004
【図４】
0004315253.tif 000005
【図５】
0004315253.tif 000006
【図６】
0004315253.tif 000007
【図７】
0004315253.tif 000008
【図８】
0004315253.tif 000009
【図９】
0004315253.tif 000010
【図１０】
0004315253.tif 000011
【図１１】
0004315253.tif 000012
【図１２】
0004315253.tif 000013
【図１３】
0004315253.tif 000014
【図１４】
0004315253.tif 000015
【図１５】
0004315253.tif 000016
【図１６】
0004315253.tif 000017